(57)【特許請求の範囲】
【請求項１】
竿素材に被覆体を外嵌装着して握り部を形成するとともに、前記被覆体を、握り本体部と前記握り本体部よりも硬質の伝動体部とで構成し、前記伝動体部の内端を前記竿素材に接触させ、前記伝動体部の外端を前記握り本体部の外周面に臨ませ、前記硬質の伝動体部を前記握り本体部とは別個の棒状体に形成し、円周方向の複数箇所に形成された棒状体挿入用孔に挿入載置されている釣り竿。
【発明の詳細な説明】
【技術分野】
【０００１】
本発明は、握り部を備えている釣り竿に関する。
【背景技術】
【０００２】
竿素材としてのロッド（公報内番号：１）の所定位置に握り部としてのグリップ（公報内番号：２）を装着してあり、グリップは、リールシート部（公報内番号：５）を挟んでフロントグリップ（公報内番号：３）とリアグリップ（公報内番号：４）で構成される。これらのグリップはコルクや軟質の合成樹脂等で構成される（特許文献１）。
【特許文献１】実用新案登録第３１０１２０３号（段落〔００１８〕〔００２１〕，図１、図２）
【発明の開示】
【発明が解決しようとする課題】
【０００３】
上記のように、グリップがコルクや軟質の合成樹脂材で構成されると、竿素材を伝って伝達される魚信がそのグリップ部分で減衰されて、グリップを握る釣り人の手に十分伝わり難い面があった。
【０００４】
本発明の目的は、グリップを形成する部材に工夫を加えることによって、魚信の伝達を向上させる釣り竿を提供する点にある。
【課題を解決するための手段】
【０００５】
〔構成〕
請求項１に係る発明の特徴構成は、竿素材に被覆体を外嵌装着して握り部を形成するとともに、前記被覆体を、握り本体部と前記握り本体部よりも硬質の伝動体部とで構成し、前記伝動体部の内端を前記竿素材に接触させ、前記伝動体部の外端を前記握り本体部の外周面に臨ませ、前記硬質の伝動体部を前記握り本体部とは別個の棒状体に形成し、円周方向の複数箇所に形成された棒状体挿入用孔に挿入載置されている点にあり、その作用効果は次の通りである。
【０００６】
〔作用〕
被覆体を単純に軟質の合成樹脂やコルク等を単独で使用して形成するのではなく、握り本体部とその握り本体部より硬質の伝動体部とで構成することによって、硬質の伝動体部が竿素材に接触した内端から魚信を拾って外端まで伝達するので、伝動体部の外端に位置する釣り人の手にその魚信が伝達される。
一方、握り本体部は、伝動体部より軟質材で構成されているので、握りの感触は従来と同様の状態を維持することができる。
【０００７】
〔効果〕
したがって、握りの感触を維持しながら、魚信の伝達性を向上して釣り竿を提供できるに至った。
【発明を実施するための最良の形態】
【０００８】
ルアー竿等として使用される釣り竿Ａについて説明する。図１に示すように、釣り竿Ａは、筒状の竿素材１の竿尻端部に、元側握り部（被覆体の一例）２、元側握り部２の先側にリールシート３、リールシート３の更に先側に先側握り部４を配置して、構成してある。
【０００９】
リールシート３について説明する。図１に示すように、リールシート３は、シートベース３Ａと一体形成された固定フード３Ｂと、固定フード３Ｂに対向配置された可動フード３Ｃと、シートベース３Ａの先側に形成されたネジ部３Ｄに螺合するナット体３Ｅとを装備して構成してある。
【００１０】
竿素材１については図示してはいないが、次のような通常の製作方法で作成される。炭素繊維等の強化繊維を引き揃え、引き揃えた強化繊維群にエポキシ等の熱硬化性樹脂を含浸させて、プリプレグシートを構成する。プリプレグシートを所定形状に裁断してパターンを形成し、そのパターンを芯金に巻き付け形成する。芯金に巻き付けた状態でパターンを焼成し、焼成後脱芯し、プリプレグシートを巻回した筒状体を取り出す。筒状体を所定長さに裁断し、表面仕上げ処理を施して竿素材１を構成する。
【００１１】
竿素材１におけるリールシート３の装着部位には、アダプタパイプ５を装着してあり、リールシート３に作用する荷重を竿素材１だけでなく、アダプタパイプ５との二重筒で受け止めるべく構成してある。アダプタパイプ５は、リールシート３の装着部位を越えて竿元側に延出してある。
【００１２】
リールシート３の取付構造について説明する。図１及び図２に示すように、シートベース３Ａの軸線位置に、貫通孔３ａを形成してあり、この貫通孔３ａの内周面にアダプタパイプ５に外嵌する補助パイプ３ｂを装着してある。シートベース３Ａにおける補助パイプ３ｂを装着した部分は、筒状体を呈しており、シートベース３Ａの竿先側に延出した部分の外周面に前記したネジ部３Ｄが形成してある。
【００１３】
リールシート３の上面は平坦な状態に形成してあり、リール脚を載置する面３Ｆに形成してある。リールシート３の元側、及び、リール脚載置面３Ｆとは竿軸線を挟んで反対側周面に亘って、元側握り部２が被着してある。
一方、シートベース３Ａのネジ部３Ｄ形成部位より更に先側には、連結取付用金具６が取付固定してあり、連結取付用金具６の先側端に先側握り部４を装着してある。
【００１４】
図１及び図２に示すように、被覆体としての元側握り部２は、元側からリールシート３の下方及び横側方に位置する部分に掛けて紡錘状を呈しており、固定フード３Ｂの元側端面に連続する状態で当接固定連結されている。
【００１５】
元側握り部２は、紡錘状を呈する握り本体部２Ａと前記握り本体部２Ａよりも硬質の伝動体部２Ｂとで構成してある。握り本体部２Ａは軟質部材で構成し、握る手に穏やかな感触を与える構成を採っている。軟質部材としては、ＮＢＲや他のゴム部材、或いは、発泡樹脂、ナイロン等の合成樹脂、コルク等を採用できる。
【００１６】
伝動体部２Ｂについて説明する。図１及び図２に示すように、伝動体部２Ｂは、握り本体部２Ａとは別個に形成された硬質の棒状体であり、握り本体部２Ａに形成された孔内に挿入載置される。伝動体部２Ｂの材質は、金属製または、硬質の合成樹脂等が採用される。握り本体部２Ａに形成される棒状体挿入用孔２ａは、握り本体部２Ａの外周面より、竿素材挿通用の貫通孔２ｂに達する状態にかつ径方向に沿った状態で設けてある。
【００１７】
以上のような伝動体部２Ｂを握り本体部２Ａ内に挿入し、伝動体部２Ｂの内端が竿素材１の外周面に当接する位置まで伝動体部２Ｂを押し込む。そうすると、伝動体部２Ｂの外端が握り本体部２Ａの外周面と面一状態となる。
このように、握り本体部２Ａより硬質の伝動体部２Ｂを竿素材１に当接する状態に配置してあるので、伝動体部２Ｂの外端に接触する釣り人の手指が竿素材１からの魚信を感じ取ることができ、魚信の感知を良好なものとできる。
【００１８】
〔別実施形態〕
（１）  伝動体部２Ｂの構成としては、棒状体の個数を任意に設定でき、また、装着方向も径方向に沿ったものでなくてもよい。伝動体部２Ｂの内端が竿素材１に当接し、伝動体部２Ｂの外端が握り本体部２Ａの外周面に臨む状態に設けてあればよい。
（２）  伝動体部２Ｂを握り本体部２Ａとは別個に構成したが、伝動体部２Ｂをインサート成形によって一体に形成してもよい。この場合には、伝動体部２Ｂは、必ずしも、金属製のものである必要はなく、ＡＢＳやフェノール等の他の硬質性樹脂であってもよい。そして、その場合には、竿素材１に伝動体部２Ｂを一体で型成形し、その後、握り本体部２Ａを型成形する。これによって、伝動体部２Ｂの形状としては、棒状体である必要はなく、円盤状を呈するものであってもよい。
（３）  伝動体部２Ｂを設ける握り部４としては、リールシート３と別個に配置されるものであってもよく、かつ、必ずしも、竿元端部に設けられる握り部２でなくてもよい。
【図面の簡単な説明】
【００１９】
【図１】釣り竿の握り部を示す一部切欠き側面図
【図２】図１におけるＩＩ−ＩＩ線断面図
【符号の説明】
【００２０】
１            竿素材
２            元側握り部（被覆体）
２Ａ          握り本体部
２Ｂ          伝動体部
２ａ 棒状体挿入用孔
【図１】
0005299951.tif 000002
【図２】
0005299951.tif 000003